(57)【要約】【課題】  光源としてのランプまたは装置自体が有する種々の誤差の影響による、前記光源から照射される方向のずれを最小限になるように調整する。【解決手段】  この発明に係る光照射装置は、光源と、該光源から照射された光が入射する光学系の光軸近傍における光量を測定して、前記光量に対応する信号を出力する光量測定手段と、該光量測定手段からの出力に応じて、前記光軸近傍における前記光量が所定の光量となるように前記光源から照射される光の照射方向を調整する照射方向調整手段とを備える。【選択図】図１
2005121977.tif 000002
【特許請求の範囲】
【請求項１】
光源と、
該光源から照射された光の、所定の位置における光量を測定して、前記光量に対応する信号を出力する光量測定手段と、
該光量測定手段からの出力に応じて、前記所定の位置における前記光量が所定の光量となるように前記光源から照射される光の照射方向を調整する照射方向調整手段とを備える光照射装置。
【請求項２】
所定の位置は、光源から照射された光が入射する光学系の光軸近傍であることを特徴とする請求項１に記載の光照射装置。
【請求項３】
光源から照射された光の光量が低下した場合に、前記光源に替えて使用する予備光源と、
前記光源に対応する光量測定手段の出力が予め定める閾値よりも小さい場合に、前記光源を前記予備光源に切り替える光源切り替え手段とを更に備える請求項１または２に記載の光照射装置。
【請求項４】
照射方向調整手段は、
光源を回転させる光源回転手段と、
前記光源が回転した角度に対応する信号を出力する回転角度検出手段とを備え、
前記光源回転手段は、光量測定手段からの出力および前記回転角度検出手段からの出力に基づいて前記光源を回転させることにより、所定の位置における光量が所定の光量となるように前記光源から照射される光の照射方向を調整することを特徴とする請求項１ないし３のいずれかに記載の光照射装置。
【請求項５】
照射方向調整手段は、
光源から照射された光を反射する反射体と、
該反射体を回転させる反射体回転手段と、
前記反射体の回転角度に対応する信号を出力する回転角度検出手段とを更に備え、
前記反射体回転手段は、光度測定手段からの出力および前記回転角度検出手段からの出力に基づいて前記反射体を回転させることにより、所定の位置における光量が所定の光量となるように前記光源から照射される光の照射方向を調整することを特徴とする請求項１または２に記載の光照射装置。
【請求項６】
光源と対向するように設ける第１の反射体と、
前記光源と前記第１の反射体との間に配置される第２の反射体とを備え、
前記第２の反射体は、前記光源から照射される照射光の一部を反射する第１の反射面、および前記照射光が前記第２の反射体によって反射された反射光を反射する第２の反射面を有し、前記第１の反射面および前記第２の反射面によって前記照射光および前記反射光を光学系の光軸方向に照射することを特徴とする請求項５に記載の光照射装置。
【請求項７】
前記請求項１ないし６のいずれかに記載の光照射装置と、
該光照射装置から照射された光が入射する光学系とを備える投射型表示装置。
【請求項８】
光源から照射された光の所定の位置における光量を測定して、前記光量に対応する信号を出力するステップと、
前記光量に対応する信号に応じて、前記所定の位置における前記光量が所定の光量となるように前記照射光の照射方向を調整するステップとを含む光照射方法。
【発明の詳細な説明】
【技術分野】
【０００１】
この発明は、ランプ等の光源の光を照射する光照射装置および光照射方法に関する。また、当該光照射装置を備える投射型表示装置に関する。
【背景技術】
【０００２】
従来の投射型表示装置においては、投射用として使用する光路を外れた位置に設置したフォトダイオードで光源から出る光線を受けて電気信号に変換し、当該電気信号に基づいて前記光源の輝度が一定しきい値よりも小さい場合にランプを交換する旨の警告、例えば、発行ダイオードを点滅させるなどしてランプ交換時期を知らせている（例えば、特許文献１。）。
【０００３】
また、他の投射型表示装置においては、光源を装着する光源ユニットの移動方向を回転移動方式にし、かつ前記光源ユニットの回転角を正転／反転それぞれ略１８０度として、回転往復方式によって移動する構成とし、さらに、光源の発光位置と略１８０度反対側にのみ光源交換用の孔を明け、この１個所から光源を交換可能な構成としている（例えば、特許文献２。）。
【０００４】
【特許文献１】特開平８−２９２４９５号公報（第１−３頁、第１図）
【特許文献２】特開２００１−２６４８７８号公報（第２−４頁、第１図）
【発明の開示】
【発明が解決しようとする課題】
【０００５】
上述のような従来の投射型表示装置では、光源の交換時期を検知してランプを自動交換することはできるものの、当該投射型表示装置における、光源の光軸と光学系の光軸とを確実に一致させることができなかった。
【０００６】
具体的には、当該投射型表示装置を構成する部品個々が有する寸法のバラツキや投射型表示装置を組立てる際に発生する組立て誤差など、種々の誤差が累積することにより、前記光源の光軸と前記光学系の光軸との間に相対的なズレが生じてしまっていた。設計段階でこれらを考慮しても、上記の誤差をなくすことは実際的には非常に困難である。
【０００７】
また、上記光源自体が光軸の傾きを有していることもある。この光軸の傾きは、リフレクタの放物面の中心軸と、当該ランプにおける発光体（バーナー等）の光軸とを確実に一致させないまま、当該発光体とリフレクタとを石膏により固定してしまうために生じる。そのため、当該投射型表示装置を組立て誤差等が全く無いように構成したときには、図１１のようにランプの光軸５５と光学系の光軸５とが一致するはずであるが、上記光軸の傾きがある場合には図１２のように前記ランプの光軸５５と前記光学系の光軸５とが一致しなくなってしまう。
【０００８】
このように、投射型表示装置自体が有する種々の誤差や前記ランプが有する光軸のズレ等により、当該ランプの光軸と前記光学系の光軸とを一致させることができない従来の投射型表示装置では、ライトバルブを照射する光の輝度が前記光軸のズレに応じて低下する。そのため、当該投射型表示装置によってスクリーンに投影される画像が暗くなってしまい、非常に見苦しいという問題があった。
【０００９】
この発明は、上述のような問題を解消するためになされたものであり、前記光源から照射される光の照射方向を調整して、前記光学系に入射する光の輝度をより高くするものである。
【課題を解決するための手段】
【００１０】
この発明に係る光照射装置は、光源と、該光源から照射された光の、所定の位置における光量を測定して、前記光量に対応する信号を出力する光量測定手段と、該光量測定手段からの出力に応じて、前記所定の位置における前記光量が所定の光量となるように前記光源から照射される光の照射方向を調整する照射方向調整手段とを備える。
【発明の効果】
【００１１】
本発明の光照射装置によれば、当該光照射装置および当該光照射装置を備える装置（例えば投射型表示装置。）が種々の誤差を有していても、光源から照射される光の照射方向を調整することにより、当該光照射装置によって照射される光の輝度をより高くすることができる。
【発明を実施するための最良の形態】
【００１２】
以下、実施の形態の説明においては、光照射装置を備える装置の一例として投射型表示装置について説明する。
【００１３】
実施の形態１．
図１は、実施の形態１における投射型表示装置の上面図である。また、図２は前記図１におけるＡ−Ａ断面から見た要部断面図である。なお、図２中の１点鎖線は、当該投射型表示装置において、光源としてのランプ３２から照射された光が通過する光路の中心軸である。
【００１４】
前記図１および前記図２の当該投射型表示装置において、光は、当該投射型表示装置が備える２つのランプのうち、一方のランプから照射される。なお、上記２つのランプは後述するターンテーブル３１上に着脱可能に取付けられたランプカートリッジ３３、３５内に固定されている。
【００１５】
なお、以下の説明においては、前記ランプカートリッジ３３を第１のランプカートリッジ３３、当該第１のランプカートリッジ３３内に固定されたランプを第１のランプ３２といい、同様に、前記ランプカートリッジ３５を第２のランプカートリッジ３５、当該第２のランプカートリッジ３５に固定されたランプを第２のランプ３４という。
【００１６】
前記第１のランプ３２から照射された光は、当該光の照射方向に設ける光学系４によって集光される。集光された光は反射ミラー９、１０によって反射され、プリズム６に入射する。当該プリズム６は入射した光の入射角度に応じて前記光を屈折または透過させ、ライトバルブ７に入射させる。
【００１７】
前記ライトバルブ７は基台１に固定されており、入力される画像信号に応じて画像表示画素に対応したマイクロミラーの姿勢角度を変化させるＤＭＤ（Ｄｅｇｉｔａｌ  Ｍｉｃｒｏｍｉｒｒｏｒ  Ｄｅｖｉｃｅ）素子等が用いられる。当該ライトバルブ７に入射した光は前記マイクロミラー等によって反射され、投射レンズ８に入射する。なお、前記ＤＭＤはテキサスインスツルメンツ社（ＴＩ社）の商標である。
【００１８】
前記投射レンズ８に入射した光は、当該投射レンズ８からスクリーン等（図示せず）に投射されることにより前記画像信号に対応する画像等が得られる。
【００１９】
前記第１のランプ３２から照射された光は、上述のようにライトバルブ７におけるマイクロミラーよって反射されるが、前記画像信号から得られる画像における黒色の部分に対応する前記マイクロミラーから反射される光は、前記投射レンズ８に入射しないように反射される。なお、以下の説明においては前記投射レンズ８に入射しないように前記マイクロミラーによって反射された光をＯＦＦ光という。
【００２０】
上述のように、前記ＯＦＦ光は前記投射レンズ８に入射しない。そこで、本実施の形態１における投射型表示装置では、このＯＦＦ光を利用して前記ランプ３２の光量が低下したか否かを判断する。具体的には、前記ＯＦＦ光を受光できる位置に輝度センサ４５を設け、当該輝度センサ４５に前記ＯＦＦ光を受光させる。なお、実際には、内面の光反射率および表面粗度が高くなるように材料の選択等をして形成され、前記輝度センサ４５に設けられた反射筒４３の一端にある入射孔４４から入射した前記ＯＦＦ光が前記輝度センサ４５によって受光される。なお、前記ＯＦＦ光は、光軸上における光ではないが、実際的には前記光軸上の光と同じ光量を有する。したがって、前記ＯＦＦ光を利用することで、前記投射レンズ８から照射される光の光量が低下したか否かの判断をすることができる。
【００２１】
前記輝度センサ４５は受光した光の輝度に応じて起電流が変化するため、当該起電流に基づいて前記第１のランプ３２からの光量を制御回路４６によって演算することができる。なお、通常は、複数の前記マイクロミラーからの前記ＯＦＦ光を前記輝度センサ４５に受光させるため、投射する画像中の白色と黒色との比率を前記画像信号から算出して、前記光量の演算を行う必要がある。
【００２２】
前記輝度センサ４５からの出力によって前記光量を演算した結果、当該光量Ｌが予め定めるしきい値Ｌ＿ＭＩＮよりも小さくなった場合には、光源として使用するランプを第１のランプ３２または第２のランプ３４に切り替える。なお、本実施の形態１では、当該投射型表示装置における第１のランプ３２から第２のランプ３４へと光源としてのランプを切り替える場合について以下に説明する。
【００２３】
図３は、光源としてのランプの切り替えから、当該ランプの光軸５５、５６と光学系の光軸５とのズレを最小限に調整するまでの過程を示すフローチャートである。また、図４、図５、図７、および図８は、前記第１のランプ３２から前記第２のランプ３４へと光源としてのランプを切り替えるまでの、当該投射型表示装置の動作を示す図である。
【００２４】
前記光量Ｌが前記しきい値Ｌ＿ＭＩＮよりも小さくなると、前記制御回路４６からステッピングモータ４１（以下、単にモータ４１ともいう。）の回転軸を図中の反時計回りに回転させるモータ駆動信号が出力される。前記モータ駆動信号が入力された前記モータ４１の回転軸は反時計回りに回転する。
【００２５】
前記モータ４１の回転軸が回転すると、当該モータ４１の回転軸に設けられたピニオンギアと減速ギア４０のギア部が係合しているため、前記減速ギア４０が時計回りに回転する。そして、当該減速ギア４０における他のギア部は回転板３７のギア部３９と係合しているため、前記減速ギア４０が時計回りに回転すると当該回転板３７は反時計回りに回転する。
【００２６】
前記回転板３７にはピン３８が設けられている。そして、当該ピン３８はターンテーブル３１に設けられたカム溝３６と係合している。したがって、前記回転板３７が回転すると前記ピン３８が前記カム溝３６内を移動することにより、前記ターンテーブル３１に前記モータ４１からの駆動力が伝達され、前記ターンテーブル３１が時計回りに回転する。
【００２７】
そうすると、前記第１のランプの点灯中、前記チェンジャベース３０上に設けられた第１のスイッチ５１に接触していた第１の当接部４８が前記第１のスイッチ５１から離れる。これにより、前記第１のランプ３２は消灯する。なお、前記第１の当接部４８は前記ターンテーブル３１上に設けられる。
【００２８】
前記モータ４１は、前記第１のランプ３２の消灯後も回転しつづける。そうすると、前記ターンテーブル３１に設けられた第２の当接部４９が、前記チェンジャベース３１上に設けられた第２のスイッチ５２と当接する。そして、前記第２の当接部４９と前記第２のスイッチ５２とが当接すると、前記第２のランプ３４が点灯する。すなわち、上記当接部４８、４９、上記スイッチ５１、５２、前記ターンテーブル３１によって光源としてのランプが切り替えられる（ＳＴＥＰ１）。
【００２９】
前記制御回路４６は、前記第２のランプ３４が点灯すると、前記第２のスイッチ５２に通電したことを検出し、前記モータ４１を一旦停止させる。以上説明した過程により、前記図４の状態から前記図５の状態まで、前記ターンテーブル３１が回転したことになる。
【００３０】
この段階で、前記第２のランプ３４から照射された光の一部は、前記輝度センサ４５によって受光される。前記制御回路４６は、この段階での前記輝度センサ４５の起電流Ｌ０をメモリ（図示せず。）に記録する（ＳＴＥＰ２）。多くの場合、この段階では前記第２のランプ３４の光軸５６と、前記光学系４の光軸５とは一致していない。したがって、このときに前記スクリーン等に投影される画像は、最大もしくは最大に近い明るさではない。
【００３１】
図８は、本実施の形態１における投射型表示装置において、前記ランプ３２、３４の光軸５５、５６と前記光学系４の光軸５との間の角度θと、その角度θにおいて前記光学系４の光軸５上の光の輝度を検知した前記輝度センサ４５から出力される起電流との関係を表す図である。
【００３２】
当該図６のように、前記ランプ３２、３４の光軸５５、５６と前記光学系４の光軸５との間の角度θが０度のときに前記輝度センサ４５から出力される起電流が最大となる。すなわち、前記角度θが０度のときに、当該投射型表示装置によって投影される画像が最も明るくなる。
【００３３】
また、前記角度θが０度へと近づくのに伴って、前記輝度センサ４５から出力される前記起電流は増加し、当該増加の程度も小さくなる。具体的に説明すると、例えば、前記角度θが０．５度付近から０．２度付近へと変化すると前記起電流は約５ｍＡ増加するのに対し、前記角度θが０．２度付近から０度付近へと変化する場合にはほとんど起電流の値が変化しない。
【００３４】
そこで、本実施の形態１における投射型表示装置では、前記角度θの減少に伴って前記起電流の増加の程度が小さくなることを利用して、前記ランプ３２、３４の光軸５５、５６と前記光学系４の光軸５との間の角度θが小さくなるように前記ターンテーブル３１を回転させることで、当該投射型表示装置によって投影される画像が最大もしくは最大に近い明るさとなるように光量制御を行なう。
【００３５】
具体的には以下のようにして前記光量制御を行なう。
前記制御回路４６は、前記モータ４１を一旦停止させた後、当該モータ４１を回転駆動させる信号を、例えば１０パルスだけ前記モータ４１に出力する。そして、当該モータ４１は前記制御回路４６から入力された前記１０パルス分の信号に対応する角度だけ反時計方向に回転する（ＳＴＥＰ３）。
【００３６】
そうすると、前記ターンテーブル３１は前記モータ４１の回転に応じた微小角度分だけ時計回りに回転し、前記図５から図７の状態になる。当該図７の状態においては、前記図５の状態と比較して、前記第２ランプ３４の光軸５６と前記光学系４の光軸５との間の角度θが小さくなっているため、前記輝度センサ４５は前記Ｌ０よりも大きい値である起電流Ｌ１を出力する。
【００３７】
前記制御回路４６は、前記メモリに記憶されている起電流Ｌ０と前記起電流Ｌ１との差分ΔＬ１＝Ｌ１−Ｌ０を演算し、前記メモリに予め記憶させてあるΔＬ＿ＭＩＮと前記ΔＬ１とを比較する（ＳＴＥＰ４）。ここで、前記ΔＬ＿ＭＩＮは前記起電流の差分ΔＬ１に対応するしきい値であり、当該ΔＬ＿ＭＩＮの値を小さく設定するほど、前記ランプ３２、３４の光軸と前記光学系４の光軸５との間の角度がより小さくなるように調整が行なわれる。なお、以下の説明においては前記起電流の差分を単に起電流差分ともいう。
【００３８】
前記制御回路４６は、前記ΔＬ１と前記ΔＬ＿ＭＩＮとを比較した結果、前記ΔＬ１が大きい場合には、再度前記モータ４１を回転させる信号をさらに１０パルス分だけ出力する。また、前記Ｌ１を前記メモリに記憶させる。そして、前記モータ４１は前記制御回路４６から出力された１０パルス分の信号に応じて反時計方向に回転する。
【００３９】
前記輝度センサ４５は、前記モータ４１が１０パルス分の信号に応じて回転することにより前記ターンテーブル３１が回転した後に得られた光の輝度に対応する起電流Ｌ２を出力する。そして、前記制御回路４６は、当該Ｌ２と前記メモリ４７に記憶したＬ１との差分ΔＬ２と前記ΔＬ＿ＭＩＮとを比較する。
【００４０】
以上のように、前記制御回路４６は、前記ΔＬ＿ＭＩＮよりも小さい値である前記起電流の差分ΔＬｉ＝ΔＬｎ＋１−ΔＬｎが得られるまで、前記第２のランプ３４の光軸５６と前記光学系４の光軸５との間の角度θが小さくなるように前記ターンテーブル３１を徐々に回転させる。
【００４１】
そして、前記制御回路４６は前記ΔＬｉが得られたときに、当該投射型表示装置から投影される画像の明るさが、最大あるいは最大に近い明るさであると判断し、前記モータ４１を停止させる。なお、前記画像の明るさが、最大あるいは最大に近い明るさであると判断されたときにおける、当該投射型表示装置の状態は図８のようになる。
【００４２】
なお、図８のような状態において、前記ピン３８、前記回転軸５０と前記回転板３７の回転軸との間の角度が略９０度となるように、前記ピン３８、前記回転軸および前記回転板３７の回転軸の位置を配設することで、前記ターンテーブル３１が前記図８の状態から動かなくなる。
【００４３】
そうすると、調整済みの前記ランプの光軸５５、５６と前記光学系の光軸５との状態を保持することができるため、光源として使用しているランプではない方のランプを当該投射型表示装置の使用中に交換した後に、再度、前記ランプの光軸５５、５６と前記光学系の光軸５との間の関係を調整する必要が生じない。また、予想外の振動、たとえば地震等により生じる光軸のズレも防止することができる。
【００４４】
以上のように、本実施の形態１における投射型表示装置は、当該投射型表示装置に備える光照射装置によって、光源としてのランプ３２、３４の光軸５５、５６と光学系４の光軸５とのズレを最小限にすることができる。したがって、前記投射型表示装置が有する組立て誤差や前記ランプが有する光軸のズレがある場合でも、良好な画像を得ることができる。
【００４５】
実施の形態２．
図９は、実施の形態２における投射型表示装置の上面図である。なお、前記実施の形態１と同様の構成については、同一の符号を付し、説明を省略する。前記図９において、光源としての、第１のランプ３２および第２のランプ３４は、後述する反射ミラー６２を介して対向するようにチェンジャベース６０上に配設される。
【００４６】
また、前記反射ミラー６２は、前記チェンジャベース６０上に配設される回転台６１上に固定される。なお、前記回転台６１の裏面には、第１の当接部４８が第２の当接部４９と前記回転台６１の中心について対称の位置に設けられている。また、前記チェンジャベース６０には前記第１の当接部４８に対応する第１のスイッチ５１、および第２の当接部４９に対応する第２のスイッチ５２が設けられる。なお、前記第１のスイッチ５１と前記第２のスイッチ５２とは、当該第１のスイッチ５１、前記回転台６１の中心、および前記第２のスイッチ５２によって表される角度が略９０度となるように配設される。
【００４７】
図９は、第１のランプ３２を光源とし、第２のランプ３４を予備の光源とする場合について示してある。したがって、前記反射ミラー６２の反射面は前記第１のランプ３２から照射された光を光学系４の光軸５の方向に反射する。そして輝度センサ４５は、前記反射ミラー６２によって反射された光の輝度を測定し、当該輝度に対応する起電流を制御回路４６に出力する。
【００４８】
前記制御回路４６は、前記実施の形態１と同様に、前記輝度センサ４５から出力された起電流に基づいて、光源としての第１のランプ３２を前記第２のランプ３４へと切り替えるか否かを判断する。そして、前記第２のランプ３４へと切り替えると判断したときには前記回転台６１を略９０度回転させる。
【００４９】
これにより、前記反射ミラー６２の反射面が、前記第２のランプ３４から照射された光を前記光学系４の光軸５の方向に反射することができるようになる。また、前記第２の当接部４９が前記第２のスイッチ５２に当接することにより、光源としてのランプが前記第２のランプ３４に切り替わる。
【００５０】
前記制御回路４６は、前記第２の当接部４９が第２のスイッチ５２と当接した時点で、モータ４１の回転を一旦停止させる。それ以降は、前記実施の形態１と同様の動作により、前記起電流差分ΔＬｉが前記ΔＬ＿ＭＩＮよりも小さくなるまで前記回転台６１を微小回転させて、反射ミラー６２の反射面の向きを調整する。
【００５１】
以上のように、本実施の形態２における投射型表示装置は、当該投射型表示装置に備える光照射装置における反射ミラー６２によって、光源としてのランプから照射される光の照射方向を、最適な方向に調整することができるため、前記投射型表示装置が有する組立て誤差や前記ランプが有する光軸のズレがある場合でも、良好な画像を得ることができる。
【００５２】
実施の形態３．
図１０は、実施の形態３における投射型表示装置を示す上面図である。なお、前記実施の形態１または実施の形態２と同一の構成部分については同一の符号を付し、説明を省略する。
【００５３】
本実施の形態３において、光源としての第１のランプ３２、および予備光源としての第２のランプ３４は、前記実施の形態２と同様に回転台６３を介して配置される。また、前記回転台６３上には、第１の反射面６６と第２の反射面６７とを有するプリズム６５が載置される。なお、前記第１のランプ３２は回転軸６９回りに回動可能なランプ載置台６８に載置される。
【００５４】
前記図１０において前記第１のランプ３２の左半分から照射される光は、前記第１の反射面６６によって反射され前記光学系４の光軸５に沿って光学系４に入射する。また、前記第１のランプ３２の右半分から照射される光は、対向する第２のランプ３４に設けられたリフレクタ５８によって反射された後、さらに前記第２の反射面６７によって反射され前記光学系４に入射する。
【００５５】
前記輝度センサ４５は前記第１の反射面６６および前記第２の反射面６７によって反射された光の輝度を測定し、当該輝度に対応する信号を出力する。制御回路４６は、前記実施の形態１または前記実施の形態２と同様に、前記輝度センサ４５から出力された起電流に基づいて、光源としての前記第１のランプ３２から前記第２のランプ３４へと切り替えるか否かを判断する。そして、前記第２のランプ３４へと切り替えると判断したときには図示しないスイッチにより光源としての前記第１のランプ３２から前記第２のランプ３４へと切り替える。
【００５６】
前記第２のランプ３４に切り替えた以降は、前記制御回路４６が前記実施の形態１と同様の動作をすることにより、前記起電流差分ΔＬｉが前記ΔＬ＿ＭＩＮよりも小さくなるまで前記回転台６３、６８を回転させて、前記第２の反射面６７および前記第１のランプ３２におけるリフレクタ５８の向きを調整する。
【００５７】
以上のように、本実施の形態３における投射型表示装置は、当該投射型表示装置に備える光照射装置におけるプリズムの反射面６６、６７によって、光源としてのランプ３２、３４から照射される光の照射方向を、最適な方向に調整することができるため、前記投射型表示装置が有する組立て誤差や前記ランプが有する光軸のズレがある場合でも、良好な画像を得ることができる。
【００５８】
なお、本実施の形態３における説明では、光源として使用するランプを１つとする場合について説明したが、２つのランプを同時に使用することによって、当該投射型表示装置によって投射される画像をより明るくすることができる。
【００５９】
また、本実施の形態３においては、２つの反射面６６、６７を有するプリズムを使用しているため、当該反射面６６、６７は他方の反射面６７、６６と別個独立に動かすことはできない。そこで、前記プリズムに代えて、例えば、前記２つの反射面６６、６７を設ける位置に反射ミラーを２つ設けることにより、当該２つの反射ミラーの各々を別個独立に制御することができる。そうすることにより２つの反射ミラー、およびいずれか一方のランプに設けたリフレクタの３つの反射体によって光の照射方向を調整することができるため、より精密な調整が可能となる。また、回動機構が設けられた前記ランプ載置台６８を前記第１のランプ３２および前記第２のランプ３４の双方に設けることであらに精密な調整が可能となる。
【００６０】
さらに、上記実施の形態１ないし３においては、前記図１におけるＺ軸まわりについて、前記ターンテーブル３１、回転台６１、６３、およびランプ載置台６８を回転させる場合について説明したが、これらを前記図１または図２おけるＸ軸まわりおよび／またはＹ軸まわりに回転させ、２軸調整または３軸調整を行うことことで、より精密に光軸の調整等を行なうことができる。
【００６１】
さらにまた、上記実施の形態１ないし実施の形態３に記載の投射型表示装置は、特に、ランプ交換に要する非点灯時間を長くとることができない、連続監視用のＤＬＰプロジェクター等により好適に適用できる。なお、前記ＤＬＰはＤｉｇｉｔａｌ  Ｌｉｇｈｔ  Ｐｒｏｃｅｓｓｉｎｇの略であり、テキサスインスツルメント社（ＴＩ社）の商標である。
【００６２】
また、前記実施の形態１ないし前記実施の形態３においてはＯＦＦ光を利用する場合について説明したが、もちろんその他の光、たとえばランプ３２、３４から照射された直後の光を利用してもよいし、投射レンズから投射された光を利用してもよい。
【００６３】
また、上記実施の形態１ないし実施の形態３においては、光照射装置を投射型表示装置に適用した場合について説明したが、当該光照射装置の適用範囲はこれに限られることはなく、光を照射する方向を調整する必要がある、照明装置や測定装置における光源部分等に適用することもできる。
【００６４】
例えば、ランプ製造時にバーナーをリフレクタに石膏によって固定する際に、当該光照射装置を測定装置として利用することができる。
【００６５】
具体的には、バーナーまたはリフレクタを回転可能な載置台に固定し、前記バーナーと前記リフレクタとを固定する前の状態で当該バーナーを発光させ、前記リフレクタによって反射された光を所定の光学系を用いて集光させる。そして、当該集光された光の輝度を輝度センサによって測定し、当該測定の結果に基づいて前記載置台を回転させる。そして、前記リフレクタの中心軸とランプの光軸とが一致したところで、前記バーナーと前記リフレクタを固定することにより、ランプにおける光軸のズレを最小限にすることができる。
【図面の簡単な説明】
【００６６】
【図１】この発明の実施の形態１における投射型表示装置の上面図である。
【図２】図１におけるＡ−Ａ断面から見た要部断面図である。
【図３】光源としてのランプの切り替え過程を示すフローチャートを説明するための説明図である。
【図４】光源としてのランプを切り替える過程の一過程を説明するための説明図である。
【図５】光源としてのランプを切り替える過程の一過程を説明するための説明図である。
【図６】この発明の実施の形態１のランプと照明光学系の角度と輝度の関係を示すグラフである。
【図７】光源としてのランプを切り替える過程の一過程を説明するための説明図である。
【図８】光源としてのランプを切り替える過程の一過程を説明するための説明図である。
【図９】この発明の実施の形態２における投射型表示装置の上面図である。
【図１０】この発明の実施の形態３における投射型表示装置の上面図である。
【図１１】ランプの光軸と光学系の光軸とが一致する場合を説明するための説明図である。
【図１２】ランプの光軸と光学系の光軸とが一致しない場合を説明するための説明図である。
【符号の説明】
【００６７】
１  基台
４  光学系
５  光学系の光軸
６  プリズム
７  ライトバルブ
８  投射レンズ
９、１０  反射ミラー
３０、６０  チェンジャベース
３１  ターンテーブル
３２  第１のランプ
３３  第１のランプカートリッジ
３４  第２のランプ
３５  第２のランプカートリッジ
３６  カム溝
３７  回転板
３８  ピン
３９  ギア部
４０、７０  減速ギア
４１、７１  ステッピングモータ
４３  反射筒
４４  入射孔
４５  輝度センサ
４６  制御回路
４７  メモリ
４８、４９  当接部
５０、６９  回転軸
５１、５２  スイッチ
５３、５４  側壁
５５、５６  ランプの光軸
５７  バーナー
５８  リフレクタ
５９  石膏
６０  取付面
６１  放物面の中心軸
６１、６３  回転台
６２  照射光反射ミラー
６５  プリズム
６６、６７  反射面
６８  ランプ載置台
７２、７３、７４、７５  光線
【図１】
2005121977.tif 000003
【図２】
2005121977.tif 000004
【図３】
2005121977.tif 000005
【図４】
2005121977.tif 000006
【図５】
2005121977.tif 000007
【図６】
2005121977.tif 000008
【図７】
2005121977.tif 000009
【図８】
2005121977.tif 000010
【図９】
2005121977.tif 000011
【図１０】
2005121977.tif 000012
【図１１】
2005121977.tif 000013
【図１２】
2005121977.tif 000014